(57)【要約】【課題】  印刷不良が少なく、吸収層からの光漏れが少なくできる可変表示構造を提供すること。【解決手段】  色光源２の波長を透過させる第１印刷部分１０ｂと、色光源３の波長を透過させる第２印刷部分１０ｃと、前記第１表示と前記第２表示の重複する部分と重なる部分で、色光源２及び色光源３の光を抑制して透過させる第３印刷部分１０ｄと、色光源２の波長と色光源３の波長を透過させない背景印刷部分１０ｅと、を備え、色光源２と色光源３の少なくとも１つの光源の発光波長領域を狭くするフィルタ４，５を設けた。【選択図】        図１
2008256995.tif 000002
【特許請求の範囲】
【請求項１】
透光性のあるシートに波長の異なる第１光源の光と第２光源の光を切り換えて投光させ、
第１表示と第２表示を行わせる可変表示構造であって、
第１光源の波長を透過させる第１印刷部分と、
第２光源の波長を透過させる第２印刷部分と、
前記第１表示と前記第２表示の重複する部分と重なる部分で、第１光源及び第２光源の光を抑制して透過させる第３印刷部と、
第１光源の波長と第２光源の波長を透過させない第４印刷部分と、
を備え、
前記第１光源と前記第２光源の少なくとも１つの光源の発光波長領域を狭くする光源用フィルタを設けた、
ことを特徴とする可変表示構造。
【請求項２】
請求項１に記載の可変表示構造において、
前記光源用フィルタは、
前記第１光源と前記第２光源の中間波長側で発光波長領域の透過を抑制するものである、
ことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来においては、複数の光源と各光源の光に対して透過と吸収を行うカラーフィルタを持った可変表示構造において、光源の光を透過させない吸収部では、その吸収部からの光漏れを抑えるためにフィルタ層部分を複数回重ねるように印刷している（例えば、特許文献１参照。）。
【特許文献１】特開２００５−２５７９３８号公報（第２−１０頁、全図）
【発明の開示】
【発明が解決しようとする課題】
【０００３】
しかしながら、従来にあっては、複数回の重ね印刷を原因とする印刷不良が発生し、問題であった。また、複数回の重ね印刷はコストの面からも問題であった。
【０００４】
本発明は、上記問題点に着目してなされたもので、その目的とするところは、印刷不良が少なく、吸収層からの光漏れが少なくできる可変表示構造を提供することにある。
【課題を解決するための手段】
【０００５】
上記目的を達成するため、本発明では、透光性のあるシートに波長の異なる第１光源の光と第２光源の光を切り換えて投光させ、第１表示と第２表示を行わせる可変表示構造であって、第１光源の波長を透過させる第１印刷部分と、第２光源の波長を透過させる第２印刷部分と、第１光源の波長と第２光源の波長を透過させない第３印刷部分と、前記第１表示と前記第２表示の重複する部分と重なる部分で、第１光源及び第２光源の光を抑制して透過させる調光印刷部と、を備え、前記第１光源と前記第２光源の少なくとも１つの光源の発光波長領域を狭くする光源用フィルタを設けた、ことを特徴とする。
【発明の効果】
【０００６】
よって、本発明にあっては、印刷不良が少なくしつつ、吸収層からの光漏れが少なくできる。
【発明を実施するための最良の形態】
【０００７】
以下、本発明の請求項１、２に係る可変表示構造を実現する実施の形態を、実施例１に基づいて説明する。
【実施例１】
【０００８】
まず、構成を説明する。
図１は実施例１の可変表示構造の正面図である。図２は図１のＡ−Ａ断面図である。図３は実施例１の可変表示構造の第１表示と第２表示を示す説明図である。
【０００９】
実施例１の可変表示構造は、スイッチ等の表示部１として、図２に示すように、カラーフィルタ１０と、その背面側に設けた色光源２、色光源３からなる。
色光源２は、波長が約５３０nmをピークとする青色に発光する光源であり、色光源３は、波長が約６４０nmをピークとする赤色に発光する光源である。
なお、色光源２及び色光源３は、LEDがコスト抑制、メンテナンス性から好ましいが、別のものであってもよい。色光源２，３は他の色であってもよい。
図４は、実施例１の光源発光波長特性を示す説明図である。
図４において、色光源２の特性を線２００で示し、色光源３の特性を線３００で示す。
【００１０】
この色光源２，３にはそれぞれ周囲を覆うハウジング２１，３１をそれぞれ設け、その上にフィルタ４，５をそれぞれ設ける。
これにより色光源２，３の発する光は、それぞれフィルタ４，５を透過してカラーフィルタ１０へ照射される構造となる。
【００１１】
カラーフィルタ１０は、図１，２に示すように、透明なシート１０ａ前面に、第１印刷部分１０ｂ、第２印刷部分１０ｃ、第３印刷部分１０ｄ、背景印刷部分１０ｅを設ける。
ここで、第１表示１２を図３(a)に示すように図形の「○」、第２表示１３を図３(b)に示すように図形の「×」とする。
第１印刷部分１０ｂは、第１表示１２である「○」の第２表示１３「×」と重ならない図１の部分である。この部分は、色光源２の青色光を通過させる青色印刷部分である。
【００１２】
図５は印刷層の光吸収特性を示す説明図である。図５において、横軸は図４に対応する波長、縦軸はその波長の光の透過率を示す。つまり、高いほど光が透過することになる。
青色印刷部分の波長に対する透過率の特性は、図５の線１０１で示す特性となる。
【００１３】
第２印刷部分１０ｃは、第２表示１３である「×」の第１表示１２「○」と重ならない図１の部分である。この部分は、色光源３の赤色光を通過させる部分であり、赤色印刷部分で形成される。赤色印刷部分の波長に対する透過率の特性は、図５の線１０２で示す特性となる。
【００１４】
第３印刷部分１０ｄは、第１表示１２の「○」と第２表示１３の「×」とが重なった部分である。この部分は、調光印刷部分で形成される。調光印刷部分の波長に対する透過率の特性は、図５の線１０３で示す特性である。
つまり、青色光も赤色光も適度に透過させる印刷部分である。
【００１５】
背景印刷部分１０ｅは、第１〜第３の印刷部分１０ｂ〜１０ｄ以外の表示部分であり、黒い印刷である。この部分は色光源２、色光源３の光を吸収する。図５の線１０４で示す特性である。
【００１６】
次に作用を説明する。
[表示作用]
(a)非表示状態
色光源２、色光源３のどちらも点灯しない状態では、どちらの光源からの光もカラーフィルタ１０を透過しないため、何も表示されない。
【００１７】
(b)第１表示
実施例１において、第１表示１２を表示させるには、色光源２を点灯させ、色光源３を消灯させる。
まず、第１印刷部分１０ｂにおいて、青色光は青色印刷部分を通過し、表示部分として青色に発光する。図４の線２００と図５の線１０１の関係となる。
次に第２印刷部分１０ｃでは、青色光は赤色印刷部分を通過できないため、表示に寄与しない。図４の線２００と図５の線１０２の関係となる。
【００１８】
次に第３印刷部分１０ｄでは、青色光は調光印刷部分を通過し、色みと輝度が調整される。図４の線２００と図５の線１０３の関係となる。
また、背景印刷部分１０ｅでは、青色光は通過しないため、表示に寄与しない。表示としては黒い背景を構成することにより、第１表示１２「○」を浮き上がらせるように見せる作用を行う。
これにより、第１表示１２、つまり図３(a)に示す「○」が青く表示されることになる。
【００１９】
(c)第２表示
実施例１において、第２表示１３を表示させるには、色光源３を点灯させ、色光源２を消灯させる。
まず、第１印刷部分１０ｂにおいて、赤色光は、青色印刷部分を通過させない。そのため、表示に寄与しない。図４の線３００と図５の線１０１の関係となる。
次に第２印刷部分１０ｃでは、赤色印刷部分を赤色光が通過するため、赤色の表示部分となる。図４の線３００と図５の線１０２の関係となる。
【００２０】
第３印刷部分１０ｄでは、赤色光は調光印刷部分を通過し、色みと輝度が調整される。図４の線３００と図５の線１０３の関係となる。
また、背景印刷部分１０ｅでは、赤色光は通過しないため、表示に寄与しない。表示としては黒い背景を構成することにより、第２表示１３「×」を浮き上がらせるように見せる作用を行う。
これにより、第２表示１３、つまり図３(b)に示す「×」が赤く表示されることになる。
【００２１】
[重ね印刷について]
例えば、上記説明した実施例１と同様の光源２，３が図４で示した特性を持ち、それに対する図５に示した、実施例１と同様の各印刷部分を有したもので、可変表示構造を構成し、光源２，３に、フィルタ４，５を設けず、直接カラーフィルタ１０へ光を照射するものが、従来における構成であった。
【００２２】
図６，７は従来の可変表示構造における発光と透過、吸収の説明図である。
この従来構成では、図４と図５に示す特性を合わせた際に、その特性から、透過させない側でわずかに透過させてしまう部分が生じる。
つまり、図６に示す青色発光部分で、光吸収不足領域４００が生じ、図７に示す赤色発光部分で、光吸収不足領域４００が生じてしまう。
このような、光吸収不足領域４００が生じると、不要な線などが見えてしまう問題が生じる。
【００２３】
そのため、両方の印刷部分、つまり第１印刷部分１０ｂ及び第２印刷部分１０ｃを重ね印刷する。
図８，９は可変表示構造における重ね印刷時の発光と透過、吸収の説明図である。図１０は可変表示構造における重ね印刷の断面図である。
このように、図６，図７に示した発光、吸収特性が、発光する側で透過が抑制され、吸収する側でより吸収して、図８，図９に示す特性（線２００ｃ、２００ｄ、３００ｃ、３００ｄで示す特性）となるようにして、光吸収不足領域４００が生じないようにしていた。
【００２４】
しかしながら、印刷層を複数回、重ね印刷すると、図１０に示すような断面構造となり、段差ができることから、印刷転写の際に不良が発生しやすくなる。
段差を原因として、剥がれや断裂が生じやすくなるからである。
また、重ねる層を前の層に合わせるように印刷することが必要となるため、印刷位置ズレが生じる問題がある。このような不具合が生じると、表示した際に不要な線が見えてしまい問題である。
【００２５】
また、重ね印刷では、表示全体の輝度が落ちてしまう。
また、重ね印刷を行わず、インクの調合等により対応しようとすると、特別なものとなり、コストが非常に高いものとなってしまい、現実には困難である。
実施例１の可変表示構造では、これらの問題を解決している。
【００２６】
[発光波長域を狭くする作用]
実施例１では、図２に示すように、各色光源２，３上にフィルタ４，５を設けている。
図１１は実施例１の可変表示構造のフィルタの光透過吸収特性を示す説明図である。図１２は実施例１の可変表示構造のフィルタを装着した場合の発光波長特性を示す説明図である。図１３、図１４は、実施例１の可変表示構造における印刷部での透過発光の状態を示す説明図である。
【００２７】
本実施例１では、図１１に示すように、色光源２，３の発光する波長域を両光源の中間側の波長域を削るように狭くする特性のフィルタ４，５を設けることによる。それぞれの色光源２，３から発光する光がフィルタ４，５を通過することによって、あたかも、光源の発光特性が波長を狭くしたものとなる。このフィルタ４，５を介しての発光の特性を図１２に示す。各色光源２，３の中間側を削ったような特性となる。（図１１、図１２の特性線５００、６００、２００ｅ、３００ｅ）
【００２８】
このようにフィルタ４，５を介した光をカラーフィルタ１０が通過させると、その発光特性は、図１３，１４のようになり、重ね印刷を上記説明した従来の複数回より減らしても、光吸収不足領域が生じない。（図１３、図１４の特性線２００ｆ、３００ｆ、２００ｇ、３００ｇ）
これは、光吸収不足領域が生じる要因である、印刷層側がわずかに光を透過させる両色光源の中間側の印刷部分の波長領域において、その部分での発光側の特性を削るようにフィルタ４，５が波長特性を狭くしているからである。
重ね印刷を上記説明した従来の複数回より減らせることは、印刷不良の低減、コストの低減になる。
【００２９】
しかも、重ね印刷を複数回行う従来に比べ、全体の輝度を抑えてしまうものではないため、光源そのものよりもやや輝度は低下するが、従来よりも高い輝度を得ることができる。
【００３０】
次に効果を説明する。実施例１の可変表示構造にあっては、下記に列挙する効果を得ることができる。
【００３１】
(1)透光性のあるシート１０ａに波長の異なる色光源２の光と色光源３の光を切り換えて投光させ、第１表示１２と第２表示１３を行わせる可変表示構造であって、色光源２の波長を透過させる第１印刷部分１０ｂと、色光源３の波長を透過させる第２印刷部分１０ｃと、前記第１表示と前記第２表示の重複する部分と重なる部分で、色光源２及び色光源３の光を抑制して透過させる第３印刷部分１０ｄと、色光源２の波長と色光源３の波長を透過させない背景印刷部分１０ｅと、を備え、色光源２と色光源３の少なくとも１つの光源の発光波長領域を狭くするフィルタ４，５を設けたため、印刷不良が少なくしつつ、吸収層からの光漏れが少なくできる。
【００３２】
(2)フィルタ４，５は、色光源２と色光源３の中間波長側で発光波長領域の透過を抑制するものであるため、印刷部分の波長特性が光の吸収特性を不足させている領域において、光源側でその領域を抑制することによって、光の吸収が不足している領域を発生させないようにして、光源に光漏れによる線が出ないようにでき、また、複数回の重ね印刷の回数を低減して、印刷不良をなくすことができ、これらにより、より品質の高い表示を提供することができる。
【００３３】
(他の構成例）
図１５に示すのは、実施例１の可変表示構造におけるフィルタ４，５の他の例である。
図１５に示す可変表示構造では、フィルタ４，５は、色光源２，３のそれぞれの発光部分を覆うように取り付けるキャップ形状である。
このように、フィルタ４，５は、色光源の発光部分と、カラーフィルタ１０の間に設けるものであれば、どのようなものでもよく、このようにキャップ形状であってもよい。
【００３４】
以上、本発明の可変表示構造を実施例１に基づき説明してきたが、具体的な構成については、これらの実施例に限られるものではなく、特許請求の範囲の各請求項に係る発明の要旨を逸脱しない限り、設計の変更や追加等は許容される。
第１表示、第２表示の色は他の色であってもよい。
各印刷部分のシートへの印刷は、シルク印刷、凸版印刷、インクジェット印刷、熱転写印刷があり、いずれの印刷によるものでもよい。また、他の印刷によるものであってもよい。
【産業上の利用可能性】
【００３５】
本願の可変表示構造は、スイッチ等のように、簡易的な表示が必要な部位への利用は容易である。
【図面の簡単な説明】
【００３６】
【図１】実施例１の可変表示構造の正面図である。
【図２】図１のＡ−Ａ断面図である。
【図３】実施例１の可変表示構造の第１表示と第２表示を示す説明図である。
【図４】実施例１の光源発光波長特性を示す説明図である。
【図５】印刷層の光吸収特性を示す説明図である。
【図６】従来の可変表示構造における発光と透過、吸収の説明図である。
【図７】従来の可変表示構造における発光と透過、吸収の説明図である。
【図８】可変表示構造における重ね印刷時の発光と透過、吸収の説明図である。
【図９】可変表示構造における重ね印刷時の発光と透過、吸収の説明図である。
【図１０】可変表示構造における重ね印刷の断面図である。
【図１１】実施例１の可変表示構造のフィルタの光透過吸収特性を示す説明図である。
【図１２】実施例１の可変表示構造のフィルタを装着した場合の発光波長特性を示す説明図である。
【図１３】実施例１の可変表示構造における印刷部での透過発光の状態を示す説明図である。
【図１４】実施例１の可変表示構造における印刷部での透過発光の状態を示す説明図である。
【図１５】実施例１の可変表示構造におけるフィルタの他の例である。
【符号の説明】
【００３７】
１  表示部
２  色光源
２１  ハウジング
３  色光源
３１  ハウジング
４  フィルタ
５  フィルタ
１０  カラーフィルタ
１０ａ  シート
１０ｂ  第１印刷部分
１０ｃ  第２印刷部分
１０ｄ  第３印刷部分
１０ｅ  背景印刷部分
１２  第１表示
１３  第２表示
【図１】
2008256995.tif 000003
【図２】
2008256995.tif 000004
【図３】
2008256995.tif 000005
【図４】
2008256995.tif 000006
【図５】
2008256995.tif 000007
【図６】
2008256995.tif 000008
【図７】
2008256995.tif 000009
【図８】
2008256995.tif 000010
【図９】
2008256995.tif 000011
【図１０】
2008256995.tif 000012
【図１１】
2008256995.tif 000013
【図１２】
2008256995.tif 000014
【図１３】
2008256995.tif 000015
【図１４】
2008256995.tif 000016
【図１５】
2008256995.tif 000017